(57)【特許請求の範囲】
【請求項１】
矩形波信号のハイレベルからローレベルへの立ち下がりエッジを検出し、立ち下がりエッジを検出したとき時から所定時間だけ、第１トランジスタをオン状態に制御する立ち下がりエッジ検出部と、
矩形波信号のローレベルからハイレベルへの立ち上がりエッジを検出し、立ち上がりエッジを検出したとき時から所定時間だけ、第２トランジスタをオン状態に制御する立ち上がりエッジ検出部と、
前記立ち上がりエッジ検出部が矩形波信号のローレベルからハイレベルへの立ち上がりエッジを検出した時から所定時間だけオン状態になる前記第２トランジスタと、
前記立ち下がりエッジ検出部が矩形波信号のハイレベルからローレベルへの立ち下がりエッジを検出した時から所定時間、および、前記第２トランジスタがオン状態である期間に、オン状態になり、オン状態になることによって、ハイレベルおよびローレベルのうちの一方のレベルのパルスを出力する前記第１トランジスタとを備える、パルス生成回路。
【請求項２】
請求項１に記載のパルス生成回路と、
前記一方のレベルのパルスに応じて音声信号をミュート状態に制御するミュート回路とを備える、ミュート装置。
【発明の詳細な説明】
【技術分野】
【０００１】
本発明は、矩形波信号の立ち上がりエッジおよび立ち下がりエッジを検出し、各エッジに応じて一方のレベルのパルス信号を生成するパルス生成回路に関する。
【背景技術】
【０００２】
下記特許文献１には、矩形波信号の立ち上がりエッジおよび立ち下がりエッジを検出し、各エッジに応じてハイレベル（又はローレベル）のパルス信号を生成するパルス生成回路が記載されている。特許文献１の図５に記載の回路は、矩形波信号の立ち上がりエッジおよび立ち下がりエッジを検出し、各エッジに応じてローレベルのパルス信号を生成する。また、特許文献１の図７に記載の回路は、矩形波信号の立ち上がりエッジおよび立ち下がりエッジを検出し、各エッジに応じてハイレベルのパルス信号を生成する。これらのパルス生成回路によると、３つのトランジスタが必要となり、コストが高くなるという問題がある。
【先行技術文献】
【特許文献】
【０００３】
【特許文献１】特開昭６４−１８３０６号公報
【発明の概要】
【発明が解決しようとする課題】
【０００４】
本発明は上記従来の課題を解決するためになされたものであり、その目的は、矩形波信号の立ち上がりエッジおよび立ち下がりエッジを検出し、一方のレベルのパルス信号を生成するパルス生成回路であって、トランジスタの数を削減することができるパルス生成回路を提供することである。
【課題を解決するための手段】
【０００５】
本発明の好ましい実施形態によるパルス生成回路は、矩形波信号のハイレベルからローレベルへの立ち下がりエッジを検出し、立ち下がりエッジを検出したとき時から所定時間だけ、第１トランジスタをオン状態に制御する立ち下がりエッジ検出部と、矩形波信号のローレベルからハイレベルへの立ち上がりエッジを検出し、立ち上がりエッジを検出したとき時から所定時間だけ、第２トランジスタをオン状態に制御する立ち上がりエッジ検出部と、前記立ち上がりエッジ検出部が矩形波信号のローレベルからハイレベルへの立ち上がりエッジを検出した時から所定時間だけオン状態になる前記第２トランジスタと、前記立ち下がりエッジ検出部が矩形波信号のハイレベルからローレベルへの立ち下がりエッジを検出した時から所定時間、および、前記第２トランジスタがオン状態である期間に、オン状態になり、オン状態になることによって、ハイレベルおよびローレベルのうちの一方のレベルのパルスを出力する前記第１トランジスタとを備える。
【０００６】
本発明の好ましい実施形態によるミュート装置は、パルス生成回路と、前記一方のレベルのパルスに応じて音声信号をミュート状態に制御するミュート回路とを備える。
【発明の効果】
【０００７】
矩形波信号の立ち上がりエッジおよび立ち下がりエッジを検出し、各エッジに応じて一方のレベルとなるパルス信号を生成するパルス生成回路であって、トランジスタの数を削減することができるパルス生成回路を提供することができる。
【図面の簡単な説明】
【０００８】
【図１】本発明の好ましい実施形態によるパルス生成回路を示す回路図である。
【図２】本発明の好ましい実施形態によるパルス生成回路の各部の波形を示すタイミングチャートである。
【発明を実施するための形態】
【０００９】
以下、本発明の好ましい実施形態によるパルス生成回路１について説明するが、本発明はこれらの実施形態には限定されない。図１は、パルス生成回路１を示す回路図である。パルス生成回路１は、矩形波信号の立ち上がりエッジおよび立ち下がりエッジを検出し、各エッジに応じて、ハイレベルおよびローレベルのうちの一方のレベルのパルス信号を生成する。一方のレベルは本実施形態ではハイレベルである。矩形波信号の立ち上がりエッジおよび立ち下がりエッジに応じたハイレベルのパルス信号は、例えば、オーディオアンプにおけるミュート回路４をミュート状態にするためのミュート制御信号として使用される。
【００１０】
パルス生成回路１は、立ち下がりエッジ検出部２と、立ち上がりエッジ検出部３と、トランジスタＱ１、Ｑ２とを主に備える。
【００１１】
また、パルス生成回路１は、矩形波信号を生成する信号源ＶＡと、信号源ＶＡからの矩形波信号をバッファするバッファ回路Ｑ０と、抵抗Ｒ１、Ｒ２、Ｒ５等をさらに備える。信号源ＶＡの負側は接地電位に接続され、正側はバッファ回路Ｑ０の入力端子に接続されている。バッファ回路Ｑ０の出力端子は抵抗Ｒ１を介してＡ点に接続されている。抵抗Ｒ２はＡ点と接地電位との間に接続されている。
【００１２】
信号源ＶＡからの矩形波信号は、バッファ回路Ｑ０でバッファされた後、Ａ点に供給される。
【００１３】
立ち下がりエッジ検出部２は、Ａ点に入力される矩形波信号のハイレベルからローレベルへの立ち下がりエッジ（すなわち、立ち下がりタイミング）を検出する。立ち下がりエッジ検出部２は、コンデンサＣ１、抵抗Ｒ３、ダイオードＤ１を含み、コンデンサＣ１、抵抗Ｒ３によって微分回路を構成している。立ち下がりエッジ検出部２は、Ａ点に入力される矩形波信号のハイレベルからローレベルへの立ち下がりエッジに応じて、瞬間的にローレベルに変化した後、所定時間かけて元の電圧値に戻る微分波形を生成し、トランジスタＱ１のベースに供給し、トランジスタＱ１をオン状態に制御する。コンデンサＣ１の一端はＡ点に接続され、他端はＢ点に接続されている。抵抗Ｒ３は、一端がトランジスタＱ１のエミッタに接続され、他端がＢ点に接続されている。ダイオードＤ１はアノードがＢ点に接続され、カソードがトランジスタＱ１のエミッタに接続されている。
【００１４】
立ち上がりエッジ検出部３は、Ａ点に入力される矩形波信号のローレベルからハイレベルへの立ち上がりエッジ（すなわち、立ち上がりタイミング）を検出する。立ち上がりエッジ検出部３は、コンデンサＣ２、抵抗Ｒ４、ダイオードＤ２を含み、コンデンサＣ２、抵抗Ｒ４によって微分回路を構成している。立ち上がりエッジ検出部３は、Ａ点に入力される矩形波信号のローレベルからハイレベルへの立ち上がりエッジに応じて、瞬間的にハイレベルに変化した後、所定時間かけて元の電圧値に戻る微分波形を生成し、トランジスタＱ２のベースに供給し、トランジスタＱ２をオン状態に制御する。コンデンサＣ２の一端はＡ点に接続され、他端はＣ点に接続されている。抵抗Ｒ４は、一端が接地電位に接続され、他端がＣ点に接続されている。ダイオードＤ２はアノードが接地電位に接続され、カソードがＣ点に接続されている。
【００１５】
トランジスタＱ２は、立ち上がりエッジ検出部３からの信号によってオン状態およびオフ状態が制御される。つまり、トランジスタＱ２は、通常はオフ状態であるが、立ち上がりエッジ検出部３が矩形波信号の立ち上がりエッジを検出した時から所定時間だけベースにハイレベルの信号（導通開始電圧以上の電圧）が供給されるので、オン状態になる。トランジスタＱ２は、オン状態になることによってトランジスタＱ１のベースを接地電位と接続させ、トランジスタＱ１をオン状態に制御する。トランジスタＱ２は、ベースがＣ点に接続され、エミッタが接地電位に接続され、コレクタが抵抗Ｒ５を介してＢ点に接続されている。
【００１６】
トランジスタＱ１は、立ち下がりエッジ検出部２からの信号によってオン状態およびオフ状態が制御される。つまり、トランジスタＱ１は、通常はオフ状態であるが、立ち下がりエッジ検出部２が矩形波信号の立ち下がりエッジを検出した時から所定時間ベースにローレベルの信号（導通開始電圧以下の電圧）が供給されるので、オン状態になる。
【００１７】
また、トランジスタＱ１は、トランジスタＱ２がオン状態の期間にベースが接地電位に接続されることによって、オン状態に制御される。すなわち、立ち上がりエッジ検出部３が矩形波信号の立ち上がりエッジを検出した時から所定時間トランジスタＱ２がオン状態になるので、その期間、トランジスタＱ１がオン状態になる。
【００１８】
トランジスタＱ１は、ベースがＢ点に接続され、エミッタが正の電源電圧ラインＶＢに接続され、コレクタがパルス生成回路１の出力端子であるＤ点に接続されている。トランジスタＱ１は、オン状態になることによって、Ｄ点を正の電源電圧ラインＶＢに接続させ、Ｄ点の電圧をハイレベルに制御する。Ｄ点の電圧はミュート制御信号として、ミュート回路４に供給される。
【００１９】
ミュート回路４は、トランジスタＱ３、Ｑ４、抵抗Ｒ６を含む。トランジスタＱ３は、エミッタがＤ点に接続され、ベースが接地電位に接続され、コレクタが−１５Ｖ電源電圧ラインに接続され、かつ、抵抗Ｒ６を介してトランジスタＱ４のベースに接続されている。トランジスタＱ４は、エミッタが接地電位に接続され、コレクタが音声信号ラインに接続されている。Ｄ点電圧（ミュート制御信号）がハイレベルになると、トランジスタＱ３がオン状態になり、トランジスタＱ４がオン状態になり、音声信号ラインが接地電位に接続された状態になり、ミュート状態になる。一方、Ｄ点電圧（ミュート制御信号）がローレベルである場合、トランジスタＱ３がオフ状態になり、トランジスタＱ４がオフ状態になり、音声信号ラインが接地電位から開放された状態になり、ミュート解除状態になる。
【００２０】
以上の構成を有するパルス生成回路１についてその動作を説明する。図２は、パルス生成回路１の動作を示すタイミングチャートであり、Ａ〜Ｄは図１のＡ点〜Ｄ点の各波形を示している。時刻ｔ０においてはＡ点の矩形波信号はハイレベルである。このとき、立ち下がりエッジ検出部２は矩形波信号の立ち下がりエッジを検出せず、ローレベルの信号をトランジスタＱ１のベースに供給しない。トランジスタＱ１のベースは、抵抗Ｒ３介して正の電源電圧ラインＶＢに接続された状態であり、オフ状態である。立ち上がりエッジ検出部３は、矩形波信号の立ち上がりエッジを検出せず、ハイレベルの信号をトランジスタＱ２のベースに供給しない。トランジスタＱ２は、オフ状態である。従って、トランジスタＱ１はオフ状態であるので、Ｄ点は正の電源電圧ラインＶＢに接続されず、Ｄ点電圧はローレベルになっている。
【００２１】
時刻ｔ１において、Ａ点の矩形波信号がハイレベルからローレベルに立ち下がる。立ち上がりエッジ検出部３は、矩形波信号の立ち下がりエッジには応答しないので、Ｃ点電圧はハイレベルに変化せず、トランジスタＱ２はオフ状態のままである。一方、立ち下がりエッジ検出部２は矩形波信号の立ち下がりを検出し、立ち下がりエッジ検出部２の出力であるＢ点電圧は、時刻ｔ１にローレベルになり、その後所定時間かけて元の電圧値へと戻る。トランジスタＱ１は、時刻ｔ１にローレベルの信号（導通開始電圧以下の電圧）がベースに供給され、オン状態になる。従って、Ｄ点はトランジスタＱ１を介して正の電源電圧ラインＶＢに接続され、Ｄ点電圧はローレベルからハイレベルに反転する。
【００２２】
時刻ｔ２において、立ち下がりエッジ検出部２の出力であるＢ点電圧がトランジスタＱ１の導通開始電圧を上回ると、トランジスタＱ１が再びオフ状態になる。従って、Ｄ点はトランジスタＱ１を介して正の電源電圧ラインＶＢに接続されなくなり、Ｄ点電圧はハイレベルからローレベルに反転する。従って、パルス生成回路１は、Ａ点の矩形波信号の立ち下がりエッジに応じて、時刻ｔ１〜ｔ２にハイレベルのパルスを出力することになる。
【００２３】
時刻ｔ２〜ｔ３においてはＡ点の矩形波信号はローレベルである。このとき、立ち下がりエッジ検出部２は矩形波信号の立ち下がりエッジを検出せず、ローレベルの信号をトランジスタＱ１のベースに供給しない。トランジスタＱ１のベースは、抵抗Ｒ３介して正の電源電圧ラインＶＢに接続された状態であり、オフ状態である。立ち上がりエッジ検出部３は、矩形波信号の立ち上がりエッジを検出せず、ハイレベルの信号をトランジスタＱ２のベースに供給しない。トランジスタＱ２は、オフ状態である。従って、トランジスタＱ１はオフ状態であるので、Ｄ点は正の電源電圧ラインＶＢに接続されず、Ｄ点電圧はローレベルになっている。
【００２４】
時刻ｔ３において、Ａ点の矩形波信号がローレベルからハイレベルに立ち上がる。立ち下がりエッジ検出部２は、矩形波信号の立ち上がりエッジには応答しないので、Ｂ点電圧はローレベルに変化しない。一方、立ち上がりエッジ検出部３は矩形波信号の立ち上がりエッジを検出し、立ち上がりエッジ検出部３の出力であるＣ点電圧は、時刻ｔ３にハイレベルに変化し、その後所定時間かけて元の電圧値へと戻る。トランジスタＱ２は、時刻ｔ３にハイレベルの信号がベースに供給され、オン状態になる。従って、トランジスタＱ１は、時刻ｔ３にベースが抵抗Ｒ５、トランジスタＱ２を介して接地電位に接続され、オン状態になる。従って、Ｄ点はトランジスタＱ１を介して正の電源電圧ラインＶＢに接続され、Ｄ点電圧はローレベルからハイレベルに反転する。
【００２５】
時刻ｔ４において、立ち上がりエッジ検出部３の出力であるＣ点電圧がトランジスタＱ２の導通開始電圧を下回ると、トランジスタＱ２が再びオフ状態になる。従って、トランジスタＱ１は、ベースが接地電位に接続されなくなり、正の電源電圧ラインＶＢからのハイレベルの信号がベースに供給されて、オフ状態になる。従って、Ｄ点はトランジスタＱ１を介して正の電源電圧ラインＶＢに接続されなくなり、Ｄ点電圧はハイレベルからローレベルに反転する。従って、パルス生成回路１は、Ａ点の矩形波信号の立ち上がりエッジに応じて、時刻ｔ３〜ｔ４にハイレベルのパルスを出力することになる。
【００２６】
以上のように、本実施形態によると、２つのトランジスタＱ１、Ｑ２を備えるだけで、矩形波信号の立ち上がりエッジおよび立ち下がりエッジに応じて、ハイレベルのパルス信号を生成し、出力することができる。
【００２７】
以上、本発明の好ましい実施形態を説明したが、本発明はこれらの実施形態には限定されない。例えば、パルス生成回路１は、矩形波信号の立ち上がりエッジおよび立ち下がりエッジに応じて、ローレベルのパルス信号を生成するように構成されてもよい。
【産業上の利用可能性】
【００２８】
本発明は、オーディオ用のアンプに好適に採用され得る。
【符号の説明】
【００２９】
１              パルス生成回路
２              立ち下がりエッジ検出部
３              立ち上がりエッジ検出部
４              ミュート回路
【図１】
0005471914.tif 000002
【図２】
0005471914.tif 000003